(57)【要約】【課題】本発明は、従来にない作用効果を発揮する画期的な蓋付き収納ケースを提供することを目的とする。【解決手段】下部に車輪部10を備え上部を開口したケース本体１Ａと、このケース本体１Ａの上部開口部１ａを閉蓋する蓋体１Ｂとから成り、複数有る場合に上下に積み重ね状態が可能となり且つこの積み重ね状態において前記車輪部10により移動が可能となるように設けられたものである。【選択図】図１
2018039542.tif 000002
【特許請求の範囲】
【請求項１】
下部に車輪部を備え上部を開口したケース本体と、このケース本体の上部開口部を閉蓋する蓋体とから成り、複数有る場合に上下に積み重ね状態が可能となり且つこの積み重ね状態において前記車輪部により移動が可能となるように設けられた蓋付き収納ケースであって、前記蓋体は、前記上部開口部の中央領域を閉塞し得る中央蓋部と、この中央蓋部の左端部に起伏回動自在に枢着され前記上部開口部の左領域を閉塞し得る左蓋部と、前記中央蓋部の右端部に起伏回動自在に枢着され前記上部開口部の右領域を閉塞し得る右蓋部とで構成され、一の蓋付き収納ケースに他の蓋付き収納ケースを積み重ねた状態において、上段の蓋付き収納ケースを右側にスライド移動させることで、積み重ね状態においても下段の蓋付き収納ケースの前記左蓋部が開放できるように構成されるとともに、上段の蓋付き収納ケースを左側にスライド移動させることで、積み重ね状態においても下段の蓋付き収納ケースの前記右蓋部が開放できるように構成されており、前記中央蓋部は、前記上部開口部の左右方向における略三分の一若しくは三分の一以上の巾の前記中央領域を閉塞し得る大きさに設定され、前記左蓋部及び前記右蓋部は、前記上部開口部の左右方向における同一巾の前記左領域及び前記右領域を閉塞し得る大きさに設定されていることを特徴とする蓋付き収納ケース。
【請求項２】
ケース本体の下部左右位置に前記車輪部は設けられ、前記蓋体には、前記上段の蓋付き収納ケースの前記車輪部を転動ガイドする凹条部が前記中央蓋部，前記左蓋部及び前記右蓋部に跨った状態で設けられ、一の蓋付き収納ケースに他の蓋付き収納ケースを積み重ねた状態において、左車輪部が落ち込んで位置決めされる左位置決め凹部が前記左蓋部の左凹条部に設けられるとともに、右車輪部が落ち込んで位置決めされる右位置決め凹部が前記右蓋部の右凹条部に設けられ、積み重ね状態においても前記下段の蓋付き収納ケースの前記左蓋部が開放できる状態となるまで前記上段の蓋付き収納ケースを右側にスライド移動させた際における前記左車輪部と、積み重ね状態においても前記下段の蓋付き収納ケースの前記右蓋部が開放できる状態となるまで前記上段の蓋付き収納ケースを左側にスライド移動させた際における前記右車輪部とが落ち込んで位置決めされる中央位置決め凹部が前記中央蓋部の中央凹条部に設けられていることを特徴とする請求項１記載の蓋付き収納ケース。
【請求項３】
前記上段の蓋付き収納ケースを右側にスライド移動させて前記左蓋部を開放し得る状態において、前記中央蓋部と前記右蓋部とで前記上段の蓋付き収納ケースを積み重ね支承し得る大きさに前記中央蓋部と前記右蓋部は設定され、前記上段の蓋付き収納ケースを左側にスライド移動させて前記右蓋部を開放し得る状態において、前記中央蓋部と前記左蓋部とで前記上段の蓋付き収納ケースを積み重ね支承し得る大きさに前記中央蓋部と前記左蓋部は設定されていることを特徴とする請求項１，２のいずれか１項に記載の蓋付き収納ケース。
【請求項４】
前記上段の蓋付き収納ケースを右側にスライド移動させた際、前記上段の蓋付き収納ケースの下部に当接して該上段の蓋付き収納ケースを水平保持する右支承突部が前記右蓋部の外側端部に設けられ、前記上段の蓋付き収納ケースを左側にスライド移動させた際、前記上段の蓋付き収納ケースの下部に当接して該上段の蓋付き収納ケースを水平保持する左支承突部が前記左蓋部の外側端部に設けられていることを特徴とする請求項１〜３のいずれか１項に記載の蓋付き収納ケース。
【請求項５】
前記ケース本体の上部開口部は平面視長方形状であり、この上部開口部の長手方向に前記中央蓋部，前記左蓋部及び前記右蓋部が並設されていることを特徴とする請求項１〜４のいずれか１項に記載の蓋付き収納ケース。
【発明の詳細な説明】
【技術分野】
【０００１】
本発明は、蓋付き収納ケースに関するものである。
【背景技術】
【０００２】
従来から、衣類や玩具などを収納する収納ケースとして、例えば実開平４−６０８３８に開示されるような蓋付き収納ケース（以下、従来例）が提案されている。
【０００３】
この従来例は、上部を開口したケース本体と、このケース本体の上部開口部を閉蓋する蓋体とから成り、複数有る場合に上下に積み重ね状態が可能となるように設けられたものであり、蓋体には、開閉可能な一対の開閉扉を左右に配置させた貫通孔が設けられ、上下に積み重ねた状態において、上段の蓋付き収納ケースを右側にスライド移動させることで、積み重ね状態においても下段の蓋付き収納ケースの左扉が開放できるとともに、上段の蓋付き収納ケースを左側にスライド移動させることで、積み重ね状態においても下段の蓋付き収納ケースの右扉が開放できるように構成されている。
【０００４】
従って、従来例は、上下に積み重ねた状態の下段の蓋付き収納ケースから収納物を取り出す場合には、上段の蓋付き収納ケースを左右いずれかにスライド移動させ、この状態で、上段の蓋付き収納ケースを移動させることにより露出した扉を開放して収納物を取り出すことができる。
【先行技術文献】
【特許文献】
【０００５】
【特許文献１】実開平４−６０８３８号公報
【発明の概要】
【発明が解決しようとする課題】
【０００６】
しかしながら、従来例は、その構造上、実際に上下に積み重ねた状態において、下段の蓋付き収納ケース内の収納物を取り出すべく、上段の蓋付き収納ケースを片側にスライド移動させた際、扉を大きく開放しようとすると、下段の蓋付き収納ケースによる安定的な支持状態が得られず、よって、上段の蓋付き収納ケースが落ちないよう気を使わなければならないという問題点がある。この問題は積み上げる段数が増えるほど顕著となる。
【０００７】
本発明は、前述した問題点を解消するもので、従来にない作用効果を発揮する画期的な蓋付き収納ケースを提供するものである。
【課題を解決するための手段】
【０００８】
添付図面を参照して本発明の要旨を説明する。
【０００９】
下部に車輪部10を備え上部を開口したケース本体１Ａと、このケース本体１Ａの上部開口部１ａを閉蓋する蓋体１Ｂとから成り、複数有る場合に上下に積み重ね状態が可能となり且つこの積み重ね状態において前記車輪部10により移動が可能となるように設けられた蓋付き収納ケースであって、前記蓋体１Ｂは、前記上部開口部１ａの中央領域Ａ１を閉塞し得る中央蓋部２と、この中央蓋部２の左端部に起伏回動自在に枢着され前記上部開口部１ａの左領域Ａ２を閉塞し得る左蓋部３と、前記中央蓋部２の右端部に起伏回動自在に枢着され前記上部開口部１ａの右領域Ａ３を閉塞し得る右蓋部４とで構成され、一の蓋付き収納ケース１に他の蓋付き収納ケース１を積み重ねた状態において、上段の蓋付き収納ケース１を右側にスライド移動させることで、積み重ね状態においても下段の蓋付き収納ケース１の前記左蓋部３が開放できるように構成されるとともに、上段の蓋付き収納ケース１を左側にスライド移動させることで、積み重ね状態においても下段の蓋付き収納ケース１の前記右蓋部４が開放できるように構成されており、前記中央蓋部２は、前記上部開口部１ａの左右方向における略三分の一若しくは三分の一以上の巾の前記中央領域Ａ１を閉塞し得る大きさに設定され、前記左蓋部３及び前記右蓋部４は、前記上部開口部１ａの左右方向における同一巾の前記左領域Ａ２及び前記右領域Ａ３を閉塞し得る大きさに設定されていることを特徴とする蓋付き収納ケースに係るものである。
【００１０】
また、ケース本体１Ａの下部左右位置に前記車輪部10は設けられ、前記蓋体１Ｂには、前記上段の蓋付き収納ケース１の前記車輪部10を転動ガイドする凹条部５が前記中央蓋部２，前記左蓋部３及び前記右蓋部４に跨った状態で設けられ、一の蓋付き収納ケース１に他の蓋付き収納ケース１を積み重ねた状態において、左車輪部10が落ち込んで位置決めされる左位置決め凹部６が前記左蓋部３の左凹条部５ｂに設けられるとともに、右車輪部10が落ち込んで位置決めされる右位置決め凹部７が前記右蓋部４の右凹条部５ｃに設けられ、積み重ね状態においても前記下段の蓋付き収納ケース１の前記左蓋部３が開放できる状態となるまで前記上段の蓋付き収納ケース１を右側にスライド移動させた際における前記左車輪部10Ａと、積み重ね状態においても前記下段の蓋付き収納ケース１の前記右蓋部４が開放できる状態となるまで前記上段の蓋付き収納ケース１を左側にスライド移動させた際における前記右車輪部10Ｂとが落ち込んで位置決めされる中央位置決め凹部８が前記中央蓋部２の中央凹条部５ａに設けられていることを特徴とする請求項１記載の蓋付き収納ケースに係るものである。
【００１１】
また、前記上段の蓋付き収納ケース１を右側にスライド移動させて前記左蓋部３を開放し得る状態において、前記中央蓋部２と前記右蓋部４とで前記上段の蓋付き収納ケース１を積み重ね支承し得る大きさに前記中央蓋部２と前記右蓋部４は設定され、前記上段の蓋付き収納ケース１を左側にスライド移動させて前記右蓋部４を開放し得る状態において、前記中央蓋部２と前記左蓋部３とで前記上段の蓋付き収納ケース１を積み重ね支承し得る大きさに前記中央蓋部２と前記左蓋部３は設定されていることを特徴とする請求項１，２のいずれか１項に記載の蓋付き収納ケースに係るものである。
【００１２】
また、前記上段の蓋付き収納ケース１を右側にスライド移動させた際、前記上段の蓋付き収納ケース１の下部に当接して該上段の蓋付き収納ケース１を水平保持する右支承突部13が前記右蓋部４の外側端部に設けられ、前記上段の蓋付き収納ケース１を左側にスライド移動させた際、前記上段の蓋付き収納ケース１の下部に当接して該上段の蓋付き収納ケース１を水平保持する左支承突部14が前記左蓋部３の外側端部に設けられていることを特徴とする請求項１〜３のいずれか１項に記載の蓋付き収納ケースに係るものである。
【００１３】
また、前記ケース本体１の上部開口部１ａは平面視長方形状であり、この上部開口部１ａの長手方向に前記中央蓋部２，前記左蓋部３及び前記右蓋部４が並設されていることを特徴とする請求項１〜４のいずれか１項に記載の蓋付き収納ケースに係るものである。
【発明の効果】
【００１４】
本発明は上述のように構成したから、前述した従来例に比し、下段の蓋付き収納ケースから収納物を取り出すべく、上段の蓋付き収納ケースを片側へスライド移動させても安定的な支持状態が得られ、しかも、ユーザーの使い勝手に合わせた種々の使用状態が得られて非常に便利であるなど、従来にない作用効果を発揮する画期的な蓋付き収納ケースを提供するものである。
【図面の簡単な説明】
【００１５】
【図１】本実施例を示す斜視図である。
【図２】本実施例を示す分解斜視図である。
【図３】本実施例を示す平面図である。
【図４】本実施例の要部を説明する平面図である。
【図５】本実施例の要部を説明する断面図である。
【図６】本実施例の使用状態説明図である。
【図７】本実施例の使用状態説明図である。
【図８】本実施例の使用状態説明図である。
【図９】本実施例の使用状態説明図である。
【発明を実施するための形態】
【００１６】
好適と考える本発明の実施形態（発明をどのように実施するか）を、図面に基づいて本発明の作用を示して簡単に説明する。
【００１７】
ケース本体１Ａの上部開口部１ａを蓋体１Ｂで閉塞した際、上部開口部１ａの中央領域Ａ１は中央蓋部２で閉塞され、上部開口部１ａの左領域Ａ２は中央蓋部２の左端部に起伏回動自在に枢着される左蓋部３で閉塞され、上部開口部１ａの右領域Ａ３は中央蓋部２の右端部に起伏回動自在に枢着される右蓋部４で閉塞される。
【００１８】
また、一の蓋付き収納ケース１に他の蓋付き収納ケース１を積み重ねた状態において、上段の蓋付き収納ケース１を右側にスライド移動させることで、積み重ね状態においても下段の蓋付き収納ケース１の左蓋部３を開放でき、上段の蓋付き収納ケース１を左側にスライド移動させることで、積み重ね状態においても下段の蓋付き収納ケース１の右蓋部４を開放できる。
【００１９】
従って、上部に他の蓋付き収納ケース１を積み重ねた状態のまま、下段の蓋付き収納ケース１に収納される収納物を、左蓋部３と右蓋部４の任意の方を開放させることで取り出すことができる。
【００２０】
ところで、本発明は、中央蓋部２は、上部開口部１ａの左右方向における略三分の一若しくは三分の一以上の巾の中央領域Ａ１を閉塞し得る大きさに設定され、左蓋部３及び右蓋部４は、上部開口部１ａの左右方向における同一巾の左領域Ａ２及び右領域Ａ３を閉塞し得る大きさに設定されている。
【００２１】
即ち、各蓋部は上記の大きさに設定されている為、下段の蓋付き収納ケース１に収納された収納物を取り出し易い十分な開口を確保しつつ、上段の蓋付き収納ケース１を右側にスライド移動させて左蓋部３を開放し得る状態において、中央蓋部２と右蓋部４とで上段の蓋付き収納ケース１を積み重ね支承でき、一方、上段の蓋付き収納ケース１を左側にスライド移動させて右蓋部４を開放し得る状態において、中央蓋部２と左蓋部３とで上段の蓋付き収納ケース１を積み重ね支承できて、上段の蓋付き収納ケース１に対する十分な支持状態が得られ、しかも、中央蓋部２が上部開口部１ａの左右方向いずれか一方に片寄った位置に配される構造でない為、上段の蓋付き収納ケース１を左右いずれの方向に移動させてもバランスよく安定的な支持状態が確実に得られる。
【００２２】
また、本発明は、ケース本体１の下部に車輪部10がある為、一の蓋付き収納ケース１に他の蓋付き収納ケース１を積み重ねた状態において、上段の蓋付き収納ケース１の車輪部10が下段の蓋付き収納ケース１の蓋体１Ｂに当接する構成とすれば、上段の蓋付き収納ケース１のスムーズなスライド移動が可能であり、しかも、この車輪部10を利用することで非常に使い勝手が良くなる。
【００２３】
具体的には、複数の蓋付き収納ケース１を上下に積み重ねた状態のまま、最下段の蓋付き収納ケース１の車輪部10を利用して左右に移動させることができ、このことから、前述した各蓋部の大きさの設定に起因して奏される、上段の蓋付き収納ケース１をスライド移動させた際に下段の蓋付き収納ケース１からの側方への飛び出し量が抑えられることにも伴い、例えば図６，７，８に図示したように押し入れに入れた場合など、大きなスペースを必要とせずとも左蓋部３と右蓋部４のどちらも確実に開放させて収納物を良好に取り出せることになる。
【００２４】
また、本発明は、例えば蓋付き収納ケース１を三段以上に積み重ねる場合には、図９に図示したような左右交互に上段の蓋付き収納ケース１を片側にスライド移動させた所謂千鳥状に配置することもでき、ユーザーの使い勝手に合わせた種々の使用状態が得られ、しかも、従来にない積み重ね方からインテリア性にも優れることになる。
【実施例】
【００２５】
本発明の具体的な実施例について図面に基づいて説明する。
【００２６】
本実施例は、下部に車輪部10を備え上部を開口したケース本体１Ａと、このケース本体１Ａの上部開口部１ａを閉蓋する蓋体１Ｂとから成り、複数有る場合に上下に積み重ね状態が可能となり且つこの積み重ね状態において車輪部10により移動が可能となるように設けられた蓋付き収納ケース１である。
【００２７】
以下、本実施例に係る構成各部について詳細な説明をする。
【００２８】
ケース本体１Ａは、図１，２に図示したように適宜な合成樹脂製の部材で形成した平面視長方形状（横長形状）の箱状体であり、上部に左右方向に長さを有する平面視長方形状の上部開口部１ａが設けられている。
【００２９】
また、ケース本体１Ａは、下部（底面部）の前後左右の四箇所（四隅部分）に車輪部10が設けられている。
【００３０】
この車輪部10は、ケース本体１Ａの底面に、このケース本体１Ａと一体成形された補強リブが垂設されて成る車輪取付部10ａを設け、この車輪取付部10ａを構成する補強リブに設けた嵌合凹溝に車輪10ｂ（コロ）の枢着軸を着脱自在に嵌合枢着して構成されている。
【００３１】
尚、車輪部10としては自在キャスターでも良い。
【００３２】
また、本実施例では、ケース本体１の上部開口部１ａを閉塞する蓋体１Ｂが設けられている。
【００３３】
この蓋体１Ｂは、図１〜３に図示したように適宜な合成樹脂製の部材で形成した薄板体であり、ケース本体１の上部開口部１ａの長手方向に並設される中央蓋部２，左蓋部３及び右蓋部４で構成され、この中央蓋部２，左蓋部３及び右蓋部４夫々は略方形状に形成されている。
【００３４】
具体的には、蓋体１Ｂは、上部開口部１ａの中央領域Ａ１を閉塞し得る中央蓋部２と、この中央蓋部２の左端部にヒンジ部11を介して起伏回動自在に枢着され上部開口部１ａの左領域Ａ２を閉塞し得る左蓋部３と、中央蓋部２の右端部にヒンジ部12を介して起伏回動自在に枢着され上部開口部１ａの右領域Ａ３を閉塞し得る右蓋部４とで構成されている。
【００３５】
本実施例では、この中央蓋部２は、図４に図示したように上部開口部１ａの左右方向における略三分の一若しくは三分の一以上の巾の中央領域Ａ１を閉塞し得る大きさに設定され、左蓋部３及び右蓋部４は、上部開口部１ａの左右方向における同一巾の左領域Ａ２及び右領域Ａ３を閉塞し得る大きさに設定されており、蓋体１Ｂは、一の蓋付き収納ケース１に他の蓋付き収納ケース１を積み重ねた状態において、上段の蓋付き収納ケース１を右側にスライド移動させることで、積み重ね状態においても下段の蓋付き収納ケース１の左蓋部３が開放できるように構成されるとともに、上段の蓋付き収納ケース１を左側にスライド移動させることで、積み重ね状態においても下段の蓋付き収納ケース１の右蓋部４が開放できるように構成されている。
【００３６】
また、蓋体１Ｂの前後端部には、一の蓋付き収納ケース１に他の蓋付き収納ケース１を積み重ねた状態において、上段の蓋付き収納ケース１の前後左右の車輪部10を転動ガイドする一対の凹条部５が左右方向に長さを有する状態で設けられており、この一対の凹条部５は、中央蓋部２，左蓋部３及び右蓋部４に跨った状態で設けられている。
【００３７】
即ち、中央蓋部２には中央凹条部５ａが設けられ、左蓋部３には左凹条部５ｂが設けられ、右蓋部４には右凹条部５ｃが設けられており、これら中央凹条部５ａ，左凹条部５ｂ及び右凹条部５ｃが連続して凹条部５が構成されている。
【００３８】
また、本実施例は、一の蓋付き収納ケース１に他の蓋付き収納ケース１を積み重ねた状態において、左車輪部10Ａが落ち込んで位置決めされる左位置決め凹部６が左蓋部３の左凹条部５ｂに設けられるとともに、右車輪部10Ｂが落ち込んで位置決めされる右位置決め凹部７が右蓋部４の右凹条部５ｃに設けられ、積み重ね状態においても下段の蓋付き収納ケース１の左蓋部３が開放できる状態となるまで上段の蓋付き収納ケース１を右側にスライド移動させた際における左車輪部10Ａと、積み重ね状態においても下段の蓋付き収納ケース１の右蓋部４が開放できる状態となるまで上段の蓋付き収納ケース１を左側にスライド移動させた際における右車輪部10Ｂとが落ち込んで位置決めされる中央位置決め凹部８が中央蓋部２の中央凹条部５ａに設けられている。
【００３９】
つまり、中央位置決め凹部８は中央蓋部２の左右方向中央位置に設けられ、この中央位置決め凹部８に対して左車輪部10及び右車輪部10がともに位置決めされるように構成されている。
【００４０】
また、本実施例では、上段の蓋付き収納ケース１を右側にスライド移動させた際、上段の蓋付き収納ケース１の下部に当接して該上段の蓋付き収納ケース１を水平保持する右支承突部13が右蓋部４の外側端部に設けられ、前記上段の蓋付き収納ケース１を左側にスライド移動させた際、上段の蓋付き収納ケース１の下部に当接して該上段の蓋付き収納ケース１を水平保持する左支承突部14が左蓋部３の外側端部に設けられている。
【００４１】
これら右支承突部13及び左支承突部14は、右蓋部４及び左蓋部３夫々の外側端部にして前後の凹条部５同士間に前後方向に長さを有する膨出状部を一体成形して構成されている。
【００４２】
符号９はケース本体１Ａの上部開口部１ａを閉塞した蓋体１Ｂを固定するバックルである。
【００４３】
本実施例は上述のように構成したから、ケース本体１Ａの上部開口部１ａを蓋体１Ｂで閉塞した際、上部開口部１ａの中央領域Ａ１は中央蓋部２で閉塞され、上部開口部１ａの左領域Ａ２は中央蓋部２の左端部に起伏回動自在に枢着される左蓋部３で閉塞され、上部開口部１ａの右領域Ａ３は中央蓋部２の右端部に起伏回動自在に枢着される右蓋部４で閉塞される。
【００４４】
また、一の蓋付き収納ケース１に他の蓋付き収納ケース１を積み重ねた状態において、上段の蓋付き収納ケース１を右側にスライド移動させることで、積み重ね状態においても下段の蓋付き収納ケース１の左蓋部３を開放でき、上段の蓋付き収納ケース１を左側にスライド移動させることで、積み重ね状態においても下段の蓋付き収納ケース１の右蓋部４を開放できる。
【００４５】
従って、上部に他の蓋付き収納ケース１を積み重ねた状態のまま、下段の蓋付き収納ケース１に収納される収納物を、左蓋部３と右蓋部４の任意の方を開放させることで取り出すことができる。
【００４６】
また、本実施例は、中央蓋部２は、上部開口部１ａの左右方向における略三分の一若しくは三分の一以上の巾の中央領域Ａ１を閉塞し得る大きさに設定され、左蓋部３及び右蓋部４は、上部開口部１ａの左右方向における同一巾の左領域Ａ２及び右領域Ａ３を閉塞し得る大きさに設定されている。
【００４７】
即ち、各蓋部は上記の大きさに設定されている為、下段の蓋付き収納ケース１に収納された収納物を取り出し易い十分な開口を確保しつつ、上段の蓋付き収納ケース１を右側にスライド移動させて左蓋部３を開放し得る状態において、中央蓋部２と右蓋部４とで上段の蓋付き収納ケース１を積み重ね支承でき、一方、上段の蓋付き収納ケース１を左側にスライド移動させて右蓋部４を開放し得る状態において、中央蓋部２と左蓋部３とで上段の蓋付き収納ケース１を積み重ね支承できて、上段の蓋付き収納ケース１に対する十分な支持状態が得られ、しかも、中央蓋部２が上部開口部１ａの左右方向いずれか一方に片寄った位置に配される構造でない為、上段の蓋付き収納ケース１を左右いずれの方向に移動させてもバランスよく安定的な支持状態が確実に得られる。
【００４８】
また、本実施例は、ケース本体１の下部に車輪部10がある為、一の蓋付き収納ケース１に他の蓋付き収納ケース１を積み重ねた状態において、上段の蓋付き収納ケース１の車輪部10が下段の蓋付き収納ケース１の蓋体１Ｂに当接する構成とすれば、上段の蓋付き収納ケース１のスムーズなスライド移動が可能であり、しかも、この車輪部10を利用することで非常に使い勝手が良くなる。
【００４９】
具体的には、複数の蓋付き収納ケース１を上下に積み重ねた状態のまま、最下段の蓋付き収納ケース１の車輪部10を利用して左右に移動させることができ、このことから、前述した各蓋部の大きさの設定に起因して奏される、上段の蓋付き収納ケース１をスライド移動させた際に下段の蓋付き収納ケース１からの側方への飛び出し量が抑えられることにも伴い、例えば図６，７，８に図示したように押し入れに入れた場合など、大きなスペースを必要とせずとも左蓋部３と右蓋部４のどちらも確実に開放させて収納物を良好に取り出せることになる。
【００５０】
また、本実施例は、例えば蓋付き収納ケース１を三段以上に積み重ねる場合には、図９に図示したような左右交互に上段の蓋付き収納ケース１を片側にスライド移動させた所謂千鳥状に配置することもでき、ユーザーの使い勝手に合わせた種々の使用状態が得られ、しかも、従来にない積み重ね方からインテリア性にも優れることになる。
【００５１】
尚、本発明は、本実施例に限られるものではなく、各構成要件の具体的構成は適宜設計し得るものである。
【符号の説明】
【００５２】
Ａ１  中央領域
Ａ２  左領域
Ａ３  右領域
１  蓋付き収納ケース
１Ａ  ケース本体
１ａ  上部開口部
１Ｂ  蓋体
２  中央蓋部
３  左蓋部
４  右蓋部
５  凹条部
５ａ  中央凹条部
５ｂ  左凹条部
５ｃ  右凹条部
６  左位置決め凹部
７  右位置決め凹部
８  中央位置決め凹部
10  車輪部
10Ａ  左車輪部
10Ｂ  右車輪部
13  右支承突部
14  左支承突部
【図１】
2018039542.tif 000003
【図２】
2018039542.tif 000004
【図３】
2018039542.tif 000005
【図４】
2018039542.tif 000006
【図５】
2018039542.tif 000007
【図６】
2018039542.tif 000008
【図７】
2018039542.tif 000009
【図８】
2018039542.tif 000010
【図９】
2018039542.tif 000011